(57)【要約】      （修正有）【課題】光電変換を有するタッチデバイスを提供する。【解決手段】光電変換を有するタッチデバイスは、タッチデバイス本体１を含み、前記タッチデバイス本体は、タッチ領域１１及び非タッチ領域１２を有し、前記非タッチ領域は、前記タッチ領域周側に近隣して設置され、前記タッチ領域は、光電変換層１３を設け、タッチ領域に該光電変換層を設けることによって光電変換層の受光面積を増加し、変換する電流量を向上させ、タッチデバイスの待機及び使用時間を向上させる。【選択図】図２
0003181251.tif 000002
【実用新案登録請求の範囲】
【請求項１】
タッチ領域及び非タッチ領域を有し、前記非タッチ領域は、前記タッチ領域周側に近隣して設置され、前記タッチ領域は、光電変換層を設けるタッチデバイス本体を含む光電変換を有するタッチデバイス。
【請求項２】
前記タッチデバイス本体は、第１透明基板と、第２透明基板と、少なくとも１つのタッチ電極層と、接着体層と、導電接着剤層と、遮蔽層と、電極配線と、軟性基板と、を有し、前記第１透明基板は、第１側及び第２側を有し、前記第２透明基板は、第３側及び第４側を有し、前記光電変換層は、前記第１透明基板の第１側に設けられ、前記タッチ電極層は、前記第２透明基板の第３側及び第４側の何れか１つに設けられ、前記タッチ電極層と、該接着体層と、該導電接着剤層と、該遮蔽層と、該軟性基板と、該電極配線とは、該第１、第２透明基板両者の間に設けられ、前記タッチ電極層は、該タッチデバイス本体のタッチ領域に設置され、前記導電接着剤層は、前記軟性基板及び該電極配線層両者の間に設けられ、前記遮蔽層は、前記電極配線層一側に設けられ、前記導電接着剤層に隣り合い、前記軟性基板と、該遮蔽層と、該電極配線層と、該導電接着剤層とは、該タッチデバイス本体の非タッチ領域に設けられ、前記接着体層は、軟性基板及び該タッチ電極層及び該第１透明基板の三者の間に設けられる請求項１に記載の光電変換を有するタッチデバイス。
【請求項３】
前記タッチデバイス本体は、第１透明基板と、第２透明基板と、少なくとも１つのタッチ電極層と、接着体層と、導電接着剤層と、遮蔽層と、電極配線と、軟性基板と、を有し、前記第１透明基板は、第１側及び第２側を有し、前記第２透明基板は、第３側及び第４側を有し、前記光電変換層は、前記第１透明基板の第１側に設けられ、前記第２透明基板の第３側及び第４側が何れも前記タッチ電極層を設け、前記タッチ電極層と、該接着体層と、該導電接着剤層と、該遮蔽層と、該軟性基板と、該電極配線とは、該第１、第２透明基板両者の間に設けられ、前記タッチ電極層は、該タッチデバイス本体のタッチ領域に設置され、前記導電接着剤層は、前記軟性基板及び該電極配線層両者の間に設けられ、前記遮蔽層は、前記電極配線層一側に設けられ、前記導電接着剤層に隣り合い、前記軟性基板と、該遮蔽層と、該電極配線層と、該導電接着剤層とは、該タッチデバイス本体の非タッチ領域に設けられ、前記接着体層は、軟性基板及び該タッチ電極層及び該第１透明基板の三者の間に設けられる請求項１に記載の光電変換を有するタッチデバイス。
【請求項４】
前記光電変換層に抗反射層及び光吸収層を有し、前記光吸収層の両側にそれぞれ第１透明電極層及び第２透明電極層を有し、前記抗反射層は、前記第１透明電極層の前記光吸収層と相反する一側に設けられる請求項１に記載の光電変換を有するタッチデバイス。
【請求項５】
前記光電変換層は、薄膜式太陽電池で構成される請求項１に記載の光電変換を有するタッチデバイス。
【請求項６】
前記第１、第２透明基板は、ポリエチレンテレフタレート、ポリカーボネート、ポリエチレン、ポリ塩化ビニル、ポリプロピレン、ポリスチレン、ポリメチルメタクリレート、環状オレフィン共重合体及びガラスのうちの何れか１つの材質であり、前記接着体層は、光学樹脂及び光学接着剤の何れか１つである請求項２に記載の光電変換を有するタッチデバイス。
【請求項７】
前記第１、第２透明基板は、ポリエチレンテレフタレート、ポリカーボネート、ポリエチレン、ポリ塩化ビニル、ポリプロピレン、ポリスチレン、ポリメチルメタクリレート、環状オレフィン共重合体及びガラスのうちの何れか１つの材質であり、前記接着体層は、光学樹脂及び光学接着剤の何れか１つである請求項３に記載の光電変換を有するタッチデバイス。
【請求項８】
前記タッチ電極層は、ゲル塗布、電気メッキ、蒸着又はスパッタリングの何れか１つの方式で形成される薄膜構造であり、該薄膜構造は、インジウム錫酸化物（ITO）、インジウム亜鉛酸化物（IZO）及び三酸化アンチモン（ATO）の何れか１つである請求項２に記載の光電変換を有するタッチデバイス。
【請求項９】
前記タッチ電極層は、ゲル塗布、電気メッキ、蒸着又はスパッタリングの何れか１つの方式で形成される薄膜構造であり、該薄膜構造は、インジウム錫酸化物（ITO）、インジウム亜鉛酸化物（IZO）及び三酸化アンチモン（ATO）の何れか１つである請求項３に記載の光電変換を有するタッチデバイス。
【請求項１０】
前記タッチデバイス本体は、第１透明基板と、第２透明基板と、少なくとも１つのタッチ電極層と、接着体層と、導電接着剤層と、遮蔽層と、電極配線と、軟性基板と、を有し、前記第１透明基板は、第１側及び第２側を有し、前記第２透明基板は、第３側及び第４側を有し、前記光電変換層は、前記第１透明基板の第１側に設けられ、前記タッチ電極層は、前記第２透明基板の第３側及び第４側の何れか１つに設けられ、前記タッチ電極層と、該接着体層と、該導電接着剤層と、該遮蔽層と、該軟性基板と、該電極配線とは、該第１、第２透明基板両者の間に設けられ、前記タッチ電極層は、該タッチデバイス本体のタッチ領域に設置され、前記導電接着剤層は、前記軟性基板及び該電極配線層両者の間に設けられ、前記遮蔽層は、前記第１透明基板の第２側に設けられ、前記軟性基板と、該遮蔽層と、該電極配線層と、該導電接着剤層とは、該タッチデバイス本体の非タッチ領域に設けられ、前記接着体層は、軟性基板及び該タッチ電極層及び遮蔽層と、該第１透明基板との間に設けられる請求項１に記載の光電変換を有するタッチデバイス。
【請求項１１】
前記タッチデバイス本体は、第１透明基板と、第２透明基板と、少なくとも１つのタッチ電極層と、接着体層と、導電接着剤層と、遮蔽層と、電極配線と、軟性基板と、を有し、前記第１透明基板は、第１側及び第２側を有し、前記第２透明基板は、第３側及び第４側を有し、前記光電変換層は、前記第１透明基板の第１側に設けられ、前記第２透明基板の第３側及び第４側の何れにも前記タッチ電極層を設け、前記タッチ電極層と、該接着体層と、該導電接着剤層と、該遮蔽層と、該軟性基板と、該電極配線とは、該第１、第２透明基板両者の間に設けられ、前記タッチ電極層は、該タッチデバイス本体のタッチ領域に設置され、前記導電接着剤層は、前記軟性基板及び該電極配線層両者の間に設けられ、前記遮蔽層は、前記第１透明基板の第２側に設けられ、前記軟性基板と、該遮蔽層と、該電極配線層と、該導電接着剤層とは、該タッチデバイス本体の非タッチ領域に設けられ、前記接着体層は、軟性基板及び該タッチ電極層及び遮蔽層と、該第１透明基板との間に設けられる請求項１に記載の光電変換を有するタッチデバイス。
【考案の詳細な説明】
【技術分野】
【０００１】
本考案は、光電変換を有するタッチデバイスに関し、特に光電変換層をタッチデバイスのタッチ領域内に設置し、タッチデバイスの待機及び使用時間を向上し、光電変換層の受光面積を増加し、変換する電流量を向上する光電変換を有するタッチデバイスに関する。
【背景技術】
【０００２】
現行の一般の携帯式電子デバイスは、電力の供給により電子デバイスの待機及び使用を維持し、携帯式電子デバイスの電力の供給は、依然として内蔵電池の電力供給動作に依存し、現行の携帯式電子デバイスは、更にタッチデバイスの使用を結合し、その電力消費が激しくなる場合、待機及び使用可能な時間が大幅に減少される。
【０００３】
従来の携帯式電子デバイスの消費電力が大きくなり過ぎる問題を解決する為、現在は、太陽電池モジュールをそれと結合し、太陽電池モジュールにとり光電変換を行い、変換して発生する電気エネルギーを該携帯式電子デバイスの内蔵電池部材に蓄積し、携帯式電子デバイスの使用及び待機時間を増長し、従って、太陽電池モジュールが携帯式電子デバイスの非タッチ領域又は該携帯式電子デバイスの殻体内に設置され、太陽電池モジュールに光線照射を旧取水、光電変換を行わせる為、該殻体が透明材質に設けられるか、太陽電池モジュールを該殻体外部に露出させる必要があり、該製品の厚さが低減させ難くなるという欠陥を生じる。
【考案の概要】
【考案が解決しようとする課題】
【０００４】
そこで、上記従来技術の欠陥を解決する為、本考案の目的は、タッチデバイスの待機及び使用時間を向上し、光電変換層の受光面積を増大し、変換する電流量を向上する光電変換を有するタッチデバイスを提供することである。
【課題を解決するための手段】
【０００５】
上記目的を達成する為、本考案の光電変換を有するタッチデバイスは、タッチデバイス本体を含み、
前記タッチデバイス本体は、タッチ領域及び非タッチ領域を有し、前記非タッチ領域は、前記タッチ領域周側に近隣して設置され、前記タッチ領域は、光電変換層を設ける。
【考案の効果】
【０００６】
前記光電変換層及び該タッチデバイス本体を結合し、該光電変換層により光電変換を行い、更に、変換後の電気エネルギーをタッチデバイス内に蓄積し、該タッチ装置の使用及び待機時間を向上することができる。
【０００７】
また、該光電変換層が該タッチデバイス本体のタッチ領域に設置されることにより、該タッチデバイス本体の全体の厚さを低減することができ、且つ従来の殻体を、透明を呈するよう設置しなければならないという欠陥を改善することができる。
【図面の簡単な説明】
【０００８】
【図１】本考案の光電変換を有するタッチデバイスの第１実施例の俯瞰図である。
【図２】本考案の光電変換を有するタッチデバイスの第１実施例の組み合わせ断面図である。
【図３】本考案の光電変換を有するタッチデバイスの第２実施例の組み合わせ断面図である。
【図４】本考案の光電変換を有するタッチデバイスの第３実施例の組み合わせ断面図である。
【図５】本考案の光電変換を有するタッチデバイスの第４実施例の組み合わせ断面図である。
【考案を実施するための形態】
【０００９】
本考案の上記目的及びその構造及び効果における特性について、図面を附した好適実施例を挙げ、以下に説明する。
【００１０】
図１、図２を参照し、それは、本考案の光電変換を有するタッチデバイスの第１実施例の俯瞰図、組み合わせ断面図であり、図に示すように、前記光電変換を有するタッチデバイスは、タッチデバイス本体１を含む。
【００１１】
前記タッチデバイス本体１は、タッチ領域１１及び非タッチ領域１２を有し、前記非タッチ領域１２は、前記タッチ領域１１周側に近隣して設置され、前記タッチ領域１１は、光電変換層１３を設ける。
【００１２】
前記タッチデバイス本体１は、第１透明基板１１１と、第２透明基板１１２と、少なくとも１つのタッチ電極層１１３と、接着体層１１４と、導電接着剤層１２１と、遮蔽層１２２と、電極配線１２３と、軟性基板１２４と、を有し、前記第１透明基板１１１は、第１側１１１１及び第２側１１１２を有し、前記第２透明基板１１２は、第３側１１２１及び第４側１１２２を有し、前記光電変換層１３は、前記第１透明基板１１１の第１側１１１１に設けられ、前記タッチ電極層１１３は、前記第２透明基板１１２の第３側１１２１及び第４側１１２２の何れか１つに選択的に設けられ、本実施例のタッチ電極層１１３は、第３側１１２１に設置されるが、これに限定するものではない。
【００１３】
前記タッチ電極層１１３と、接着体層１１４と、該導電接着剤層１２１と、該遮蔽層１２２と、該軟性基板１２４と、該電極配線１２３とは、該第１、第２透明基板１１１，１１２両者の間に設けられ、前記タッチ電極層１１３は、該タッチデバイス本体１のタッチ領域１１に設置され、前記導電接着剤層１２１は、前記軟性基板１２４及び該電極配線層１２３両者の間に設けられ、前記遮蔽層１２２は、前記電極配線層１２３一側に設けられ、前記導電接着剤層１２１に隣り合い、前記軟性基板１２４と、該遮蔽層１２２と、該電極配線層１２３と、該導電接着剤層１２１とは、該タッチデバイス本体１の非タッチ領域１２に設けられ、前記接着体層１１４は、軟性基板１２４及び該タッチ電極層１１３及び該第１透明基板１１１の三者の間に設けられ、即ち、本実施例のタッチ領域１１は、上から下の順に、光電変換層１３、第１透明基板１１１、接着体層１１４、タッチ電極層１１３、第２透明基板１１２であり、非タッチ領域１２は、上から下の順に、第１透明基板１１１、接着体層１１４、軟性基板１２４、導電接着剤層１２１及び遮蔽層１２２の並列、電極配線層１２３、第２透明基板１１２である。
【００１４】
図３を参照し、それは、本考案の光電変換を有するタッチデバイスに第２実施例の組み合わせ断面図であり、図に示すように、本実施例は、前記第１実施例と構造及び関連性部分が同一であるので、ここでは再度説明せず、本考案及び前記第１実施例の異なる箇所は、前記遮蔽層１２２が前記第１透明基板１１１の第２側１１１２に設けられることにあり、本実施例のタッチ領域１１は、上から下の順に、光電変換層１３、第１透明基板１１１、接着体層１１４、タッチ電極層１１３、第２透明基板１１２であり、非タッチ領域１２は、上から下の順に、第１透明基板１１１、遮蔽層１２２、接着体層１１４、軟性基板１２４、導電接着剤層１２１、電極配線層１２３、第２透明基板１１２である。
【００１５】
図４を参照し、それは、本考案の光電変換を有するタッチデバイスの第３実施例の組み合わせ断面図であり、図に示すように、図に示すように、本実施例は、前記第１実施例と構造及び関連性部分が同一であるので、ここでは再度説明せず、本考案及び前記第１実施例の異なる箇所は、前記第２透明基板１１２の第３側１１２１及び第４側１１２２が何れも前記タッチ電極層１１３を設け、前記接着体層１１４が該第１、第２透明基板１１１，１１２両者間に設けられることにあり、本実施例のタッチ領域１１は、上から下の順に、光電変換層１３、第１透明基板１１１、接着体層１１４、タッチ電極層１１３、第２透明基板１１２、タッチ電極層１１３であり、非タッチ領域１２は、上から下の順に、第１透明基板１１１、接着体層１１４、軟性基板１２４、導電接着剤層１２１及び遮蔽層１２２の並列、電極配線層１２３、第２透明基板１１２、電極配線層１２３である。
【００１６】
図５を参照し、それは、本考案の光電変換を有するタッチデバイスの第４実施例の組み合わせ断面図であり、図に示すように、本実施例は、前記第３実施例と構造及び関連性部分が同一であるので、ここでは再度説明せず、本考案及び前記第３実施例の異なる箇所は、前記遮蔽層１２２が前記第１透明基板１１１の第２側１１１２に設けられることにあり、本実施例のタッチ領域１１は、上から下の順に、光電変換層１３、第１透明基板１１１、接着体層１１４、タッチ電極層１１３、第２透明基板１１２、タッチ電極層１１３であり、非タッチ領域１２は、上から下の順に、第１透明基板１１１、遮蔽層１２２、接着体層１１４、軟性基板１２４、導電接着剤層１２１、電極配線層１２３、第２透明基板１１２、電極配線層１２３である。
【００１７】
前記第１、第２、第３、第４実施例の前記光電変換層１３は、抗反射層１３１及び光吸収層１３２を有し、前記光吸収層１３２両側にそれぞれ第１透明電極層１３３及び第２透明電極層１３４を有し、前記抗反射層１３１は、前記第１透明電極層１３３の前記光吸収層１３２に相反する一側に設けられ、前記光電変換層１３は、薄膜式太陽電池により構成される。
【００１８】
前記第１、第２透明基板１１１，１１２は、ポリエチレンテレフタレート、ポリカーボネート、ポリエチレン、ポリ塩化ビニル、ポリプロピレン、ポリスチレン、ポリメチルメタクリレート、環状オレフィン共重合体及びガラスのうちの何れか１つの材質を選択することができ、前記接着体層１１４は、光学樹脂及び光学接着剤の何れか１つを選択することができ、前記第１実施例の透明基板は、ガラスであり、第２透明基板１１２は、前記材質のうちの何れか１つである。
【００１９】
前記タッチ電極層１１３は、ゲル塗布、電気メッキ、蒸着又はスパッタリングの何れか１つの方式で形成される薄膜構造であり、該薄膜構造は、インジウム錫酸化物（ITO）、インジウム亜鉛酸化物（IZO）及び三酸化アンチモン（ATO）の何れか１つである。
【符号の説明】
【００２０】
１        タッチデバイス本体
１１      タッチ領域
１１１    第１透明基板
１１１１  第１側
１１１２  第２側
１１２    第２透明基板
１１２１  第３側
１１２２  第４側
１１３    タッチ電極層
１１４    接着体層
１２      非タッチ領域
１２１    導電接着剤層
１２２    遮蔽層
１２３    電極配線層
１２４    軟性基板
１３      光電変換層
１３１    抗反射層
１３２    光吸収層
１３３    第１透明電極層
１３４    第２透明電極層
【図１】
0003181251.tif 000003
【図２】
0003181251.tif 000004
【図３】
0003181251.tif 000005
【図４】
0003181251.tif 000006
【図５】
0003181251.tif 000007